(57)【特許請求の範囲】
【請求項１】
IPv6アドレスを生成する端末装置であって、
前記端末装置のMACアドレス以外の端末識別情報と、端末種別、在圏情報、又な端末能力である付加情報とを格納する端末情報格納手段と、
前記端末識別情報と前記付加情報とを前記端末情報格納手段から読み出し、当該端末識別情報と付加情報とを含むインターフェースIDを生成するインターフェースID生成手段と、
前記端末装置に通信ネットワークを介して接続されたプレフィックス配布装置に、前記インターフェースIDを含むプレフィックス割り当て要求メッセージを送信するプレフィックス割り当て要求メッセージ送信手段と、
前記プレフィックス配布装置から、プレフィックスを含むプレフィックス割り当て応答メッセージを受信し、当該プレフィックス割り当て応答メッセージからプレフィックスを取得するプレフィックス割り当て応答メッセージ受信手段と、
前記プレフィックスと、前記インターフェースID生成手段により生成した前記インターフェースIDとからIPv6アドレスを生成するアドレス生成手段と、を備え、
前記プレフィックス割り当て応答メッセージは、前記付加情報に対応するパラメータ情報を含み、当該プレフィックス割り当て応答メッセージから前記パラメータ情報を取得することを特徴とする端末装置。
【請求項２】
前記パラメータ情報は、前記プレフィックスのライフタイムであることを特徴とする請求項１に記載の端末装置。
【請求項３】
前記端末装置は、情報機器と通信を行うための通信手段を備え、
前記インターフェースID生成手段は、前記情報機器から当該情報機器の製品情報を、前記通信手段を介して取得し、前記付加情報に代えて、当該製品情報を用いることにより前記インターフェースIDを生成することを特徴とする請求項１又は２に記載の端末装置。
【請求項４】
IPv6アドレスのプレフィックスを、通信ネットワークを介して端末装置に配布するプレフィックス配布装置であって、
MACアドレス以外の端末識別情報と、端末種別、在圏情報、又な端末能力である付加情報とを含むインターフェースIDと、プレフィックスとを対応付けて格納するプレフィックス情報格納手段と、
前記端末装置から、インターフェースIDを含むプレフィックス割り当て要求メッセージを受信し、当該プレフィックス割り当て要求メッセージから前記インターフェースIDを取得するプレフィックス割り当て要求メッセージ受信手段と、
前記インターフェースIDに基づき前記プレフィックス情報格納手段を検索することにより、当該インターフェースIDに対応するプレフィックスを取得するプレフィックス情報取得手段と、
前記プレフィックスを含むプレフィックス割り当て応答メッセージを前記端末装置に送信するプレフィックス割り当て応答メッセージ送信手段と
を備えることを特徴とするプレフィックス配布装置。
【請求項５】
前記プレフィックス情報格納手段は、付加情報に対応付けてパラメータ情報を格納しており、
前記プレフィックス情報取得手段は、前記インターフェースIDに含まれる付加情報に対応するパラメータ情報を前記プレフィックス情報格納手段から取得し、
前記プレフィックス割り当て応答メッセージ送信手段は、前記プレフィックスに加えて前記パラメータ情報を含むプレフィックス割り当て応答メッセージを前記端末装置に送信する
ことを特徴とする請求項４に記載のプレフィックス配布装置。
【請求項６】
端末装置とプレフィックス配布装置とが通信ネットワークにより接続されて構成されたIPv6アドレス生成システムであって、
前記端末装置は、
当該端末装置のMACアドレス以外の端末識別情報と、端末種別、在圏情報、又な端末能力である付加情報とを格納する端末情報格納手段と、
前記端末識別情報と前記付加情報とを前記端末情報格納手段から読み出し、当該端末識別情報と付加情報とを含むインターフェースIDを生成するインターフェースID生成手段と、
前記プレフィックス配布装置に、前記インターフェースIDを含むプレフィックス割り当て要求メッセージを送信するプレフィックス割り当て要求メッセージ送信手段と、
前記プレフィックス配布装置から、プレフィックスを含むプレフィックス割り当て応答メッセージを受信し、当該プレフィックス割り当て応答メッセージからプレフィックスを取得するプレフィックス割り当て応答メッセージ受信手段と、
前記プレフィックスと、前記インターフェースID生成手段により生成した前記インターフェースIDとからIPv6アドレスを生成するアドレス生成手段と、を備え、
前記プレフィックス配布装置は、
MACアドレス以外の端末識別情報と、端末種別、在圏情報、又な端末能力である付加情報とを含むインターフェースIDと、プレフィックスとを対応付けて格納するプレフィックス情報格納手段と、
前記端末装置から、前記プレフィックス割り当て要求メッセージを受信し、当該プレフィックス割り当て要求メッセージから前記インターフェースIDを取得するプレフィックス割り当て要求メッセージ受信手段と、
前記インターフェースIDに基づき前記プレフィックス情報格納手段を検索することにより、当該インターフェースIDに対応するプレフィックスを取得するプレフィックス情報取得手段と、
前記プレフィックスを含む前記プレフィックス割り当て応答メッセージを前記端末装置に送信するプレフィックス割り当て応答メッセージ送信手段と、を備える
ことを特徴とするIPv6アドレス生成システム。
【請求項７】
前記プレフィックス配布装置におけるプレフィックス情報格納手段は、付加情報に対応付けてパラメータ情報を格納しており、
前記プレフィックス情報取得手段は、前記インターフェースIDに含まれる付加情報に対応するパラメータ情報を前記プレフィックス情報格納手段から取得し、
前記プレフィックス割り当て応答メッセージ送信手段は、前記プレフィックスに加えて前記パラメータ情報を含むプレフィックス割り当て応答メッセージを前記端末装置に送信し、
前記端末装置は、前記プレフィックス割り当て応答メッセージから前記パラメータ情報を取得する
ことを特徴とする請求項６に記載のIPv6アドレス生成システム。
【請求項８】
端末装置とプレフィックス配布装置とが通信ネットワークにより接続されて構成されたIPv6アドレス生成システムにおけるIPv6アドレス生成方法であって、
前記端末装置は、当該端末装置のMACアドレス以外の端末識別情報と、端末種別、在圏情報、又な端末能力である付加情報とを格納する端末情報格納手段を備え、前記プレフィックス配布装置は、MACアドレス以外の端末識別情報と、端末種別、在圏情報、又な端末能力である付加情報とからなるインターフェースIDと、プレフィックスとを対応付けて格納するプレフィックス情報格納手段を備えており、
前記端末装置が、前記端末識別情報と前記付加情報とを前記端末情報格納手段から読み出し、当該端末識別情報と付加情報とを含むインターフェースIDを生成するインターフェースID生成ステップと、
前記端末装置が、前記プレフィックス配布装置に、前記インターフェースIDを含むプレフィックス割り当て要求メッセージを送信するプレフィックス割り当て要求メッセージ送信ステップと、
前記プレフィックス配布装置が、前記プレフィックス割り当て要求メッセージを受信し、当該プレフィックス割り当て要求メッセージから前記インターフェースIDを取得するプレフィックス割り当て要求メッセージ受信ステップと、
前記プレフィックス配布装置が、前記インターフェースIDに基づき前記プレフィックス情報格納手段を検索することにより、当該インターフェースIDに対応するプレフィックスを取得するプレフィックス情報取得ステップと、
前記プレフィックス配布装置が、前記プレフィックスを含むプレフィックス割り当て応答メッセージを前記端末装置に送信するプレフィックス割り当て応答メッセージ送信ステップと、
前記端末装置が、前記プレフィックス割り当て応答メッセージを受信し、当該プレフィックス割り当て応答メッセージからプレフィックスを取得するプレフィックス割り当て応答メッセージ受信ステップと、
前記端末装置が、前記プレフィックスと、前記インターフェースID生成ステップにより生成した前記インターフェースIDとからIPv6アドレスを生成するアドレス生成ステップと、
を備えることを特徴とするIPv6アドレス生成方法。
【請求項９】
前記プレフィックス配布装置におけるプレフィックス情報格納手段は、付加情報に対応付けてパラメータ情報を格納しており、
前記プレフィックス情報取得ステップにおいて、前記プレフィックス配布装置は、前記インターフェースIDに含まれる付加情報に対応するパラメータ情報を前記プレフィックス情報格納手段から取得し、
前記プレフィックス割り当て応答メッセージ送信ステップにおいて、前記プレフィックス配布装置は、前記プレフィックスに加えて前記パラメータ情報を含むプレフィックス割り当て応答メッセージを前記端末装置に送信し、
前記端末装置は、前記プレフィックス割り当て応答メッセージから前記パラメータ情報を取得する
ことを特徴とする請求項８に記載のIPv6アドレス生成方法。
【発明の詳細な説明】
【技術分野】
【０００１】
本発明は、端末装置においてIPアドレスを生成する技術に関し、特に、端末装置が、ルータ等の装置からプレフィックスを受信し、IPv6グローバルアドレス（以下、IPv6アドレスと呼ぶ）を生成する技術に関するものである。
【背景技術】
【０００２】
近年、IPネットワークのプロトコルとしてIPv6が使用されてきている。IPv6におけるIPv6アドレスは、１２８ビットの空間を有し、その上位６４ビットは一般にネットワークの識別子として用いられ、プレフィックスと呼ばれる。また、下位６４ビットは、そのネットワークにおける端末装置の識別子として用いられ、インターフェースIDと呼ばれる。
【０００３】
IPv6では、PC端末等の端末装置は、近隣のルータから受信するプレフィックスを用いて、IPv6アドレスを自動生成する機能を有する。IPv6アドレスの自動生成は、端末装置とルータとの間で次のような処理（RFC 4861参照）を実行することにより行われる。
【０００４】
まず、端末装置は、自身のMACアドレスからEUI-64の規定に従ってインターフェースIDを生成する。そして、端末装置は、生成したインターフェースIDをリンクローカルアドレス（FE80::/10）の下位64ビットに設定し、当該リンクローカルアドレスを送信元アドレスとして含むルータ要請メッセージ（Router Solicitation）を、リンクローカル全ルータマルチキャストアドレス宛に送信する。
【０００５】
ルータ要請メッセージを受信したルータは、プレフィックスや、ライフタイム等の各種パラメータを設定したルータ広告メッセージ（Router Advertisement）をリンクローカル全ノードマルチキャストアドレス宛に送信する。そして、ルータ広告メッセージを受信した端末装置は、受信したメッセージに含まれるプレフィックスと、インターフェースIDとからIPv6アドレスを生成する。
【先行技術文献】
【特許文献】
【０００６】
【特許文献１】特開２０１０−０７４８３５号公報
【特許文献２】特表２００９−５００９７０号公報
【発明の概要】
【発明が解決しようとする課題】
【０００７】
さて、今後の移動通信網においては、コアネットワークとして、IPv6をベースとしたIPネットワークを用いることが予定されている。このようなコアネットワークとしては、例えば３GPPで標準化されているEPC（Evolved Packet Core）仕様のコアネットワークがある。
【０００８】
ところが、移動通信に用いられる端末装置（例えば、LTE(Long Term Evolution)仕様のUE）は、MACアドレスを持たないのが一般的である。
【０００９】
従って、このような端末装置においては、MACアドレスを用いてインターフェースIDを生成することができず、背景技術で説明した方法でIPv6アドレスを生成することはできない。このような端末装置に、IPv6アドレスを付与する方法として、MACアドレスを有するPC端末に端末装置(UE)を接続し、PC端末にて生成されたIPv6アドレスを端末装置に与える方法が考えられる。しかし、このような方法では、端末装置はPC端末がなければIPv6アドレスを用いた通信ができないことになり、端末装置の利用形態が限られたものになってしまう。
【００１０】
また、従来のIPv6生成技術においては、プレフィックスの払い出し元に、端末装置の種別や能力等の端末に関する情報が通知されず、プレフィックスの払い出し元は、端末装置の種別や能力等に応じて柔軟にライフタイム等のパラメータ情報を決定し、その情報を通知するといった制御を行うことができない問題もある。
【００１１】
本発明は、上記の点に鑑みてなされたものであり、MACアドレスを持たない端末装置においてIPv6アドレスを生成可能にするとともに、端末装置の種別や能力等に応じたパラメータ情報を端末装置が取得することを可能にするための技術を提供することを目的とする。
【課題を解決するための手段】
【００１２】
上記の課題を解決するために、本発明は、IPv6アドレスを生成する端末装置であって、前記端末装置の端末識別情報と、付加情報とを格納する端末情報格納手段と、前記端末識別情報と前記付加情報とを前記端末情報格納手段から読み出し、当該端末識別情報と付加情報とを含むインターフェースIDを生成するインターフェースID生成手段と、前記端末装置に通信ネットワークを介して接続されたプレフィックス配布装置に、前記インターフェースIDを含むプレフィックス割り当て要求メッセージを送信するプレフィックス割り当て要求メッセージ送信手段と、前記プレフィックス配布装置から、プレフィックスを含むプレフィックス割り当て応答メッセージを受信し、当該プレフィックス割り当て応答メッセージからプレフィックスを取得するプレフィックス割り当て応答メッセージ受信手段と、前記プレフィックスと、前記インターフェースID生成手段により生成した前記インターフェースIDとからIPv6アドレスを生成するアドレス生成手段とを備えたことを特徴とする端末装置として構成することができる。
【００１３】
前記端末装置において、前記プレフィックス割り当て応答メッセージは、前記付加情報に対応するパラメータ情報を含み、当該プレフィックス割り当て応答メッセージから前記パラメータ情報を取得するようにしてもよい。
【００１４】
また、前記端末装置は、情報機器と通信を行うための通信手段を備え、前記インターフェースID生成手段は、前記情報機器から当該情報機器の製品情報を前記通信手段を介して取得し、前記付加情報に代えて、当該製品情報を用いることにより前記インターフェースIDを生成するように構成してもよい。
【００１５】
また、本発明は、IPv6アドレスのプレフィックスを、通信ネットワークを介して端末装置に配布するプレフィックス配布装置であって、端末識別情報と付加情報とを含むインターフェースIDと、プレフィックスとを対応付けて格納するプレフィックス情報格納手段と、前記端末装置から、インターフェースIDを含むプレフィックス割り当て要求メッセージを受信し、当該プレフィックス割り当て要求メッセージから前記インターフェースIDを取得するプレフィックス割り当て要求メッセージ受信手段と、前記インターフェースIDに基づき前記プレフィックス情報格納手段を検索することにより、当該インターフェースIDに対応するプレフィックスを取得するプレフィックス情報取得手段と、前記プレフィックスを含むプレフィックス割り当て応答メッセージを前記端末装置に送信するプレフィックス割り当て応答メッセージ送信手段とを備えることを特徴とするプレフィックス配布装置として構成することもできる。
【００１６】
前記プレフィックス配布装置において、前記プレフィックス情報格納手段は、付加情報に対応付けてパラメータ情報を格納しており、前記プレフィックス情報取得手段は、前記インターフェースIDに含まれる付加情報に対応するパラメータ情報を前記プレフィックス情報格納手段から取得し、前記プレフィックス割り当て応答メッセージ送信手段は、前記プレフィックスに加えて前記パラメータ情報を含むプレフィックス割り当て応答メッセージを前記端末装置に送信するようにしてもよい。
【発明の効果】
【００１７】
本発明によれば、MACアドレスを持たない端末装置においてIPv6アドレスを生成することが可能となるとともに、端末装置の種別や能力等に応じたIPv6アドレスに関するパラメータ情報を端末装置が取得することが可能となる。
【図面の簡単な説明】
【００１８】
【図１】本発明の実施の形態に係るシステム構成図である。
【図２】端末装置１０の機能構成図である。
【図３】プレフィックス配布装置２０の機能構成図である。
【図４】本発明の実施の形態に係るシステムの動作を説明するための図である。
【図５】インターフェースIDを説明するための図である。
【図６】プレフィックス情報格納部２５に格納されるテーブル情報の例を示す図である。
【図７】プレフィックス情報格納部２５に格納されるテーブル情報の例を示す図である。
【図８】変形例における端末装置１０と家電製品５０の機能構成図である。
【図９】変形例においてインターフェースIDを生成する処理を説明するための図である。
【発明を実施するための形態】
【００１９】
以下、図面を参照して本発明の実施の形態を説明する。
【００２０】
（システム構成）
図１に、本発明の実施の形態に係るIPv6アドレス生成システムを含むシステム全体の構成を示す。IPv6アドレス生成システムは、端末装置１０とプレフィックス配布装置２０を備え、これらが通信ネットワーク３０を介して接続される構成を有する。
【００２１】
図１において、通信ネットワーク３０としては、EPC(Evolved Packet Core)仕様のコアネットワークを含むＩＰベースのネットワークを想定しており、図１には、通信ネットワーク３０を構成する基本的な装置として、基地局４０、及びプレフィックス配布装置２０が示されている。
【００２２】
ここで、本実施の形態において、端末装置１０は、LTE(Long Term Evolution)等の標準規格に準拠したUEであり、基地局４０は、例えばLTEにおけるeNB等であるが、これに限られるわけではなく、その他の装置であってもよい。プレフィックス配布装置２０は、S-GWもしくはP-GWであることを想定している。なお、S-GWは、端末装置１０とデータの送受信を行う装置であり、P-GWは、EPCのコアネットワークと外部ネットワークとを接続する装置である。また、本実施の形態では、通信ネットワーク３０において用いられる制御プロトコル（PMIP等のモビリティ制御プロトコル等）に制限はなく、どのような制御プロトコルが用いられていても、本実施の形態で説明されるIPv6アドレス生成処理を適用できる。
【００２３】
もちろん、本発明を適用可能な技術は、上記のEPC等の例に限定されるわけではない。本発明は、LTE等に準拠したUE以外の端末装置や、S-GWもしくはP-GW以外のルータ等の装置にも適用できるものである。
【００２４】
図２に、本実施の形態における端末装置１０の機能構成図を示す。図２に示すように、端末装置１０は、無線通信部１１、インターフェースID生成部１２、プレフィックス割り当て要求メッセージ送信部１３、プレフィックス割り当て応答メッセージ受信部１４、IPv6アドレス生成部１５、端末情報格納部１６、及び設定情報格納部１７を有する。なお、図２には、端末装置１０においてIPv6生成に関する機能部が示されているのであり、端末装置１０は、通信ネットワーク３０を経由して他の端末装置とデータ通信を行うために必要な図示しない機能を含むことはもちろんである。以下、各機能部の機能概要を説明する。
【００２５】
無線通信部１１は、基地局４０と無線通信を行う機能部である。端末情報格納部１６は、端末装置１０を一意に識別可能な端末識別情報、及び付加情報を格納している。本実施の形態において、端末識別情報は、IMSI（International Mobile Subscriber Identity）である。なお、端末識別情報としては、端末装置１０を一意に識別でき、MACアドレス以外の識別情報であればIMSI以外の識別情報を用いてよい。
【００２６】
付加情報は、例えば、端末種別、在圏情報、端末能力である。端末種別は、例えば、機種名である。在圏情報は、例えば、端末装置１０の位置情報である。この位置情報は、端末装置１０が属する基地局４０の位置情報でもよいし、端末装置１０が備えるGPS装置により取得した位置情報でもよい。端末能力は、例えば、端末装置１０が、VoIP通信機能を持つか否かを表す情報である。
【００２７】
インターフェースID生成部１２は、端末情報格納部１６から端末識別情報と付加情報を読み出し、これらの情報からインターフェースIDを生成し、設定情報格納部１７に格納しておく機能部である。
【００２８】
プレフィックス割り当て要求メッセージ送信部１３は、インターフェースID生成部１２により生成されたインターフェースIDを含むリンクローカルアドレスを生成し、リンクローカルアドレスを送信元アドレスとして含むプレフィックス割り当て要求メッセージをプレフィックス配布装置２０に送信する機能部である。
【００２９】
プレフィックス割り当て応答メッセージ受信部１４は、プレフィックス割り当て要求メッセージを受信したプレフィックス配布装置２０からプレフィックス、及びライフタイムを含むプレフィックス割り当て応答メッセージを受信し、プレフィックス割り当て応答メッセージに含まれているプレフィックス、及びライフタイムの情報を設定情報格納部１７に格納する機能部である。
【００３０】
IPv6アドレス生成部１５は、プレフィックス割り当て応答メッセージに含まれていたプレフィックスと、インターフェースID生成部１２により生成されたインターフェースIDとを用いて、IPv6アドレスを生成し、設定情報格納部１７に格納する機能部である。
【００３１】
図３に、プレフィックス配布装置２０の機能構成図を示す。図３に示すように、プレフィックス配布装置２０は、ネットワーク通信部２１、プレフィックス割り当て要求メッセージ受信部２２、プレフィックス情報取得部２３、プレフィックス割り当て応答メッセージ送信部２４、及びプレフィックス情報格納部２５を備える。なお、図３には、プレフィックス配布装置２０においてプレフィックス配布に関する機能部が示されているのであり、プレフィックス配布装置２０は、図示しないその他の機能を含んでよいことはもちろんである。例えば、プレフィックス配布装置２０が、S-GWもしくはP-GWである場合、プレフィックス配布装置２０は、S-GWもしくはP-GWとして機能するための必要な機能部を含む。
【００３２】
ネットワーク通信部２１は、通信ネットワーク３０を介してデータ通信を行うための機能部である。プレフィックス割り当て要求メッセージ受信部２２は、端末装置１０からプレフィックス割り当て要求メッセージを受信し、プレフィックス割り当て要求メッセージに含まれるインターフェースIDをプレフィックス情報取得部２３に渡す機能部である。プレフィックス情報格納部２５は、インターフェースID、プレフィックス、ライフタイム等を対応付けて格納する格納部である。
【００３３】
プレフィックス情報取得部２３は、プレフィックス割り当て要求メッセージ受信部２２から渡されたインターフェースIDに対応するプレフィックス及びライフタイムをプレフィックス情報格納部２５から取得し、それらをプレフィックス割り当て応答メッセージ送信部２４に渡す機能部である。
【００３４】
プレフィックス割り当て応答メッセージ送信部２４は、プレフィックス情報取得部２３から受け取ったプレフィックス及びライフタイムを含むプレフィックス割り当て応答メッセージを作成し、それを端末装置１０に送信する機能部である。
【００３５】
（システムの動作）
次に、上述した構成を有するシステムにおけるIPv6アドレスの生成動作を、図４を参照しながら説明する。
【００３６】
まず、端末装置１０におけるインターフェースID生成部１２は、端末情報格納部１６から端末識別情報と付加情報を読み出し、これらの情報からインターフェースIDを生成し、設定情報格納部１７に格納する（ステップ１）。本実施の形態では、図５に示すように、端末識別情報と付加情報とを連結することにより６４ビットのインターフェースIDを生成している。なお、端末識別情報と付加情報とを連結することにより６４ビットとなるように端末識別情報と付加情報の長さを決めることとしてもよいし、端末識別情報と付加情報とを連結しても６４ビット未満である場合に、６４ビットになるように、例えば値０のビットを加えることとしてもよい。
【００３７】
図４において、続いて、端末装置１０におけるプレフィックス割り当て要求メッセージ送信部１３は、インターフェースID生成部１２により生成されたインターフェースIDを、設定情報格納部１７から読み出し、当該インターフェースIDを下位６４ビットに設定したリンクローカルアドレスを生成する（ステップ２）。
【００３８】
そして、プレフィックス割り当て要求メッセージ送信部１３は、上記リンクローカルアドレスを送信元アドレスとして設定したプレフィックス割り当て要求メッセージを生成し、プレフィックス配布装置２０に送信する（ステップ３）。本実施の形態において、プレフィックス割り当て要求メッセージは、上記リンクローカルアドレスを送信元アドレスとして設定したルータ要請メッセージ（Router Solicitation）である。
【００３９】
プレフィックス配布装置２０は、プレフィックス割り当て要求メッセージを受信する。プレフィックス割り当て要求メッセージを受信したプレフィックス配布装置２０におけるプレフィックス割り当て要求メッセージ受信部２２は、プレフィックス割り当て要求メッセージからインターフェースIDを取得し、それをプレフィックス情報取得部２３に渡す（ステップ４）。
【００４０】
インターフェースIDを受け取ったプレフィックス情報取得部２３は、インターフェースIDをキーにしてプレフィックス情報格納部２５を検索することにより、プレフィックス情報格納部２５から、インターフェースIDに対応するプレフィックスとライフタイムとを取得し、該当するプレフィックスプールのレコードにおける払い出し情報を「済」にするとともに、取得した情報をプレフィックス割り当て応答メッセージ送信部２４に渡す（ステップ５）。
【００４１】
図６、図７に、プレフィックス情報格納部２５に格納されるテーブル情報の例を示す。図６に示すテーブルには、インターフェースID（端末識別情報＋付加情報）と、プレフィックスプールの識別情報と、ライフタイムとが対応付けて格納されている。また、図７は、プレフィックスプールの例としてプールXを示す。図７に示すように、各プールには、個々のプレフィックスと、払い出し情報が格納される。例えば、インターフェースIDを用いた検索において、図６のプールXが該当した場合に、図７のプールXが参照され、払い出し情報が「未」であるプレフィックスの中から１つのプレフィックスが取得され、払い出し情報を「済」とする。なお、プレフィックスプールを設けることに代えて、図６に示すテーブル内のプレフィックスプールの欄に、プレフィックスそのものを格納してもよい。
【００４２】
これらの情報は、ネットワーク設計等に基いて予め定められ、格納される情報である。例えば、プレフィックスプール（プレフィックス）は、端末識別情報に対応付けて定め、ライフタイムは付加情報に対応付けて定めることができる。この場合、例えば、付加情報が、VoIP通信可能であることを示す情報である場合に、端末装置１０において、頻繁にプレフィックス要求動作を行わないようにするために、ライフタイムを長く設定することができる。これにより、無駄な通信リソースを抑えることができる。また、この場合、付加情報とライフタイムとを対応付けて格納するパラメータ格納手段を、プレフィックス情報格納部２５とは別に備え、プレフィックス配布装置２０は、パラメータ格納手段とプレフィックス情報格納部２５の両方を参照するようにしてもよい。
【００４３】
また、例えば、プレフィックスプール（プレフィックス）を、端末識別情報と付加情報とを合わせた情報に対応付けて定めてもよい。この場合、例えば、付加情報が位置情報である場合に、当該位置情報に対応する地理的エリアに対応するプレフィックスを割り当てることができる。
【００４４】
なお、本例では、付加情報に対応させるパラメータ情報として、プレフィックスのライフタイムを例に挙げているが、付加情報に対応させるパラメータ情報は、ライフタイムに限られるわけではない。また、プレフィックス情報格納部２５に、ライフタイム等のパラメータ情報を格納することは必ずしも必須ではなく、プレフィックス割り当て応答メッセージに、プレフィックス情報格納部２５から取得したプレフィックスを含めるが、ライフタイム等のパラメータ情報に関しては、他の方法で求めた値（予め定めた値等）を設定してもよい。
【００４５】
図４に戻り、プレフィックス割り当て応答メッセージ送信部２４は、プレフィックス情報取得部２３から受け取ったプレフィックス及びライフタイムを含むプレフィックス割り当て応答メッセージを作成し、それを端末装置１０に送信する（ステップ６）。本実施の形態において、プレフィックス割り当て応答メッセージは、プレフィックス及びライフタイムを含むルータ広告メッセージ（Router Advertisement）である。
【００４６】
なお、本実施の形態では、プレフィックス配布装置２０が、プレフィックス割り当て応答メッセージの中に、プレフィックス割り当て要求の送信元である端末装置１０の端末識別情報を含めてもよい。これにより、プレフィックス割り当て応答メッセージを複数の端末装置が受信した場合に、各端末装置は、自身の端末識別情報と一致する端末識別情報を含むプレフィックス割り当て応答メッセージを自分宛であると識別でき、当該自分宛のプレフィックス割り当て応答メッセージに含まれるプレフィックスとライフタイムを自身の端末装置に設定できる。
【００４７】
図４のステップ６の後、端末装置１０のプレフィックス割り当て応答メッセージ受信部１４は、プレフィックス、及びライフタイムを含むプレフィックス割り当て応答メッセージを受信し、プレフィックス割り当て応答メッセージに含まれているプレフィックス、及びライフタイムの情報を取得して、設定情報格納部１７に格納する（ステップ７）。
【００４８】
続いて、IPv6アドレス生成部１５は、プレフィックス割り当て応答メッセージに含まれていたプレフィックスを設定情報格納部１７から読み出すととともに、インターフェースID生成部１２により生成されたインターフェースIDを設定情報格納部１７から読み出し、プレフィックスとインターフェースIDとを結合することによりIPv6アドレスを生成し、設定情報格納部１７に格納する（ステップ８）。
【００４９】
設定情報格納部１７に格納されたIPv6アドレス及びライフタイムは、端末装置１０による以降のデータ通信等に用いられることになる。
【００５０】
（変形例）
端末装置１０と家電製品（テレビ、エアコン、冷蔵庫、その他の製品）とを家庭内ネットワーク（有線、又は無線）等で接続することにより、家電製品が端末装置１０を介して通信ネットワーク３０と通信を行う場合のIPv6アドレス生成処理を、本実施の形態の変形例として説明する。なお、本変形例で説明する機能は、前述した付加情報を用いる基本機能に加えて備えることとしてよい。
【００５１】
この変形例における端末装置１０と家電製品５０の機能構成図を図８に示す。図８に示すように、本例における端末装置１０は、家電製品５０と通信を行うための対家電製品通信部１８を備える点と、付加情報として製品情報を用いる点が図２に示したものと異なる。家電製品５０は、家電製品本来の機能を有する本体部５１、対端末装置通信部５２、製品情報取得部５３、及び製品情報格納部５４を備える。
【００５２】
対端末装置通信部５２は、端末装置１０と通信を行うための機能部である。製品情報格納部５４には、製品情報として、例えば、家電製品５０の機種情報、家電製品５０の能力情報等が格納される。製品情報は、前述した端末装置１０及びプレフィックス配布装置２０における付加情報と同じ役割を果たす情報である。すなわち、本例では、製品情報が、前述した付加情報として用いられる。
【００５３】
製品情報取得部５３は、端末装置１０から製品情報取得要求を受信したことに応じて、識別情報格納部５４から製品情報を取得し、当該製品情報を製品情報取得応答として端末装置１０に返す機能部である。
【００５４】
本例において、プレフィックス配布装置２０の機能構成は、図３に示したものと同じである。
【００５５】
本変形例において、端末装置１０がインターフェースIDを生成するまでの処理を、図９を参照して説明する。端末装置１０がインターフェースIDを生成した後、IPv6アドレスが生成されるまでの処理は、図４で説明した処理と同じである。
【００５６】
図９において、端末装置１０のインターフェースID生成部１２は、家電製品５０に対して製品情報取得要求を送信する（ステップ１１）。
【００５７】
製品情報取得要求を受信した家電製品５０において、製品情報取得部５３は、識別情報格納部５４から製品情報を取得する（ステップ１２）。そして、製品情報取得部５３は、取得した製品情報を製品情報取得要求応答として端末装置１０に送信する（ステップ１３）。
【００５８】
製品情報を受信した端末装置１０では、インターフェースID生成部１２が製品情報を取得するとともに、端末情報格納部１６から端末識別情報を読み出し、これらの情報を連結することにより６４ビットのインターフェースIDを生成する（ステップ１４）。その後、図４に示した処理と同様にして端末装置１０においてIPv6アドレスが生成される。
【００５９】
なお、変形例において、端末装置１０と接続する装置は、家電製品に限られるわけではない。図８、図９に示す機能処理を実現可能な装置であれば、家電製品でない他の装置を接続することとしてもよい。端末装置１０と接続される装置は、家電製品を含めて情報機器と呼ぶことができる。
【００６０】
本発明は、上記の実施の形態に限定されることなく、特許請求の範囲内において、種々変更・応用が可能である。
【符号の説明】
【００６１】
１０  端末装置
１１  無線通信部
１２  インターフェースID生成部
１３  プレフィックス割り当て要求メッセージ送信部
１４  プレフィックス割り当て応答メッセージ受信部
１５  IPv6アドレス生成部
１６  端末情報格納部
１７  設定情報格納部
１８  対家電製品通信部
２０  プレフィックス配布装置
２１  ネットワーク通信部
２２  プレフィックス割り当て要求メッセージ受信部
２３  プレフィックス情報取得部
２４  プレフィックス割り当て応答メッセージ送信部
２５  プレフィックス情報格納部
３０  通信ネットワーク
４０  基地局
５０  家電製品
５１  本体部
５２  対端末装置通信部
５３  製品情報取得部
５４  製品情報格納部
【図１】
0005480719.tif 000002
【図２】
0005480719.tif 000003
【図３】
0005480719.tif 000004
【図４】
0005480719.tif 000005
【図５】
0005480719.tif 000006
【図６】
0005480719.tif 000007
【図７】
0005480719.tif 000008
【図８】
0005480719.tif 000009
【図９】
0005480719.tif 000010